(57)【要約】      （修正有）【課題】構造が簡単であって、錆びることがなく、金属感もなく、使用にあたり柔らかい感触が得られ、取り付けられる生地の取付面に対し、簡単且つ密着した状態で取り付けることができる、防水性に優れたマグネットホック具及びこれを用いたシート製品を提供する。【解決手段】磁着により互いに係脱自在とされる一方及び他方のマグネットホック部材１，２を有するマグネットホック具であって、一方及び他方のマグネットホック部材１，２は、ゴム質のホック具本体の中間部分に、互いに磁着される磁石５，６（若しくは磁性体）が封入され、ゴム質のホック具本体の外周部にゴム質の取付縁部９，１４が一体的にフランジ状に形成され、一方のマグネットホック部材の磁着面の周囲に形成された略環状の係合凸部１１と他方のマグネットホック部材の磁着面の周囲に形成された略環状の係合凹部１７とが、磁着時において互いに嵌合される。【選択図】図５
2020058604.tif 000002
【特許請求の範囲】
【請求項１】
磁着により互いに係脱自在とされる一方及び他方のマグネットホック部材を有するマグネットホック具において、
一方及び他方のマグネットホック部材は、ゴム質のホック具本体の中間部分に、互いに磁着される磁石（若しくは磁性体）が封入され、
一方のマグネットホック部材の磁着面の周囲に形成された略環状の係合凸部と、他方のマグネットホック部材の磁着面の周囲に形成された略環状の係合凹部と、を有し、磁着時において、係合凹部に係合凸部が嵌合されることを特徴とするマグネットホック具。
【請求項２】
前記一方及び他方のマグネットホック部材は、ゴム質の前記ホック具本体の外周部にゴム質の取付縁部が一体的に形成されている請求項１に記載のマグネットホック具。
【請求項３】
前記一方及び他方のマグネットホック部材は、ゴム質のホック具本体の中間部分に形成された空間部に、互いに磁着される磁石（若しくは磁性体）が挿入され、空間部は、磁石（若しくは磁性体）が挿入された状態で、ゴム質の蓋体部の溶着により閉鎖されている請求項１又は２に記載のマグネットホック具。
【請求項４】
前記蓋体部の溶着は、超音波溶着である請求項３に記載のマグネットホック具。
【請求項５】
磁着により互いに係脱自在とされる一方及び他方のマグネットホック部材を有するマグネットホック具であって、一方及び他方のマグネットホック部材は、ゴム質のホック具本体の中間部分に互いに磁着される磁石（若しくは磁性体）が封入され、ホック具本体の外周部にはゴム質の取付縁部が一体的に形成されており、磁着時において、一方のマグネットホック部材の磁着面の周囲に形成された係合凸部と、他方のマグネットホック部材の磁着面の周囲に形成された係合凹部と、が互いに係脱自在とされるマグネットホック具を用い、
前記一方及び他方のマグネットホック部材の前記取付縁部が、互いに開閉される開閉部の生地の対向する取付面に、固着されて取り付けられていることを特徴とするシート製品。
【請求項６】
前記固着は、熱圧着溶着、その他の溶着若しくは接着である請求項５に記載のシート製品。
【請求項７】
前記シート製品は、衣類の開閉部、カバーの着脱部、又はテープ類を含む請求項５又は６に記載のシート製品。
【発明の詳細な説明】
【技術分野】
【０００１】
本発明は、マグネットホック具及びこれを備えた衣類などのシート製品に関するものである。
本発明に係るマグネットホック具を備えたシート製品の生地は、ビニール等の合成樹脂製生地、ゴム製生地、布製生地が含まれる。また、これらの生地によって作成される衣類などの製品は、衣服、フトンカバーのようなカバー類、衣服などの開閉部等に取り付けられる着脱テープ類に適応することができる。
【背景技術】
【０００２】
マグネットを用いて互いに磁着させて衣類の合わせ面を閉じるためのマグネットホック具として、マグネット及び磁性体を衣類の生地の互いに開閉される合わせ面に対向して固定した一対のホック部材を備えたホック具がある。しかし、単に磁性面を対面させただけでは、磁着方向と直交する方向の外力が加わった場合にはホック部材同士が簡単に引きはがれやすく、取れやすい欠点がある。
【０００３】
また、マグネット具を用いた鞄等の留具が、下記特許文献１に示されている。
【先行技術文献】
【特許文献】
【０００４】
【特許文献１】実用新案登録番号第３０２５５８０号公報
【発明の概要】
【発明が解決しようとする課題】
【０００５】
特許文献１に記載の留具は、磁石を内蔵して表面に凹部を設けた金属留具本体と、この留具本体の凹部に嵌合する凸部を表面に設けて吸着可能とした金属係止体とからなる。
【０００６】
しかしながらこの留具の構造では、留具本体、係止体とも各部が金属で構成されており、錆びるおそれがある。また、それぞれの部品に磁石を固定するためには加工が厄介で、磁石を固定させるための穴を有しており、構造的に複雑であるとともに、防水的機能は有していない。さらに、留具本体、係止体を鞄その他衣類などの閉じ合わせ面に固定するためには、取り付け用脚片を布地、あるいは皮革等の生地を貫通して、生地に穴をあけて取り付ける必要がある。また、その裏側からかしめ付けて固定しなければならず、取付作業も面倒である。
また、上記従来の磁着式ホックの構造では、上記中心部の対向する凹部と凸部の嵌合による固定であって、横方向へのズレに弱く、外れやすい。
【０００７】
本発明は以上の課題を解決するものであり、その目的とするところは、構造が簡単であって、錆びることがなく、金属感もなく、使用にあたり柔らかい感触が得られる防水性に優れたマグネットホック具及びこれを用いた衣類などのシート製品を提供するものである。
本発明は、取り付けられる生地の取付面に対し、熱圧着溶着等により簡単且つ密着した状態で取り付けることができ、マグネットホック具を有する衣類の内部に水滴などが入ることがなく、防水性が高く、柔らかい着脱硬度と使用感が得られるマグネットホック具及びこれを用いた衣類などのシート製品を提供するものである。
さらに、本発明は、横方向のズレ及び開き外力に対して外れにくく、閉じやすい構造のマグネットホック具及びこれを用いた衣類などのシート製品を提供するものである。
【課題を解決するための手段】
【０００８】
上記の目的を達成するための手段を説明する。
請求項１に係る本発明は、磁着により互いに係脱自在とされる一方及び他方のマグネットホック部材１，２を有するマグネットホック具において、
一方及び他方のマグネットホック部材１，２は、ゴム質のホック具本体３，４の中間部分に、互いに磁着される磁石５，６（若しくは磁性体）が封入され、
一方のマグネットホック部材１の磁着面の周囲に形成された略環状の係合凸部１１と他方のマグネットホック部材２の磁着面の周囲に形成された略環状の係合凹部１７と、を有し、磁着時において、係合凹部１７に係合凸部１１が嵌合されることを特徴とするマグネットホック具にある。
【０００９】
請求項２に係る発明は、前記一方及び他方のマグネットホック部材１，２は、ゴム質の前記ホック具本体３，４の外周部にゴム質の取付縁部９，１４が一体的にフランジ状に形成されている請求項１に記載のマグネットホック具にある。
【００１０】
請求項３に記載される本発明は、前記一方及び他方のマグネットホック部材１，２は、ゴム質のホック具本体３，４の中間部分に形成された空間部１２，１８に、磁石５，６（若しくは磁性体）が挿入され、空間部１２，１８は、磁石５，６（若しくは磁性体）が挿入された状態で、ゴム質の蓋体部を構成する蓋部材７，８の溶着により閉鎖されている請求項１又は２に記載のマグネットホック具にある。
上記蓋部材の溶着は、超音波溶着とすることができる。また、上記ホック具本体と蓋体部とを、内部に磁石（若しくは磁性体）を封入した状態で、一体的に成型させることも可能である。
【００１１】
請求項５に記載される本発明は、磁着により互いに係脱自在とされる一方及び他方のマグネットホック部材１，２を有するマグネットホック具であって、一方及び他方のマグネットホック部材１，２は、ゴム質のホック具本体３，４の中間部分に互いに磁着される磁石５，６（若しくは磁性体）が封入され、ホック具本体３，４の外周部にはゴム質の取付縁部９，１４がフランジ状に一体的に形成されており、磁着時において、一方のマグネットホック部材１の磁着面の周囲に形成された係合凸部１１と、他方のマグネットホック部材２の磁着面の周囲に形成された係合凹部１７と、が互いに係脱自在とされるマグネットホック具を用いている。
上記係合凸部１１と係合凹部１７とは、略環状であればよく、その環状の一部が切りかかれた、略Ｃ形若しくは略Ｕ形であっても良い。
上記本発明は、上記一方及び他方のマグネットホック部材１，２の前記取付縁部９，１４が、互いに開閉される開閉部の生地２０，２１の対向する取付面に、面方向に密着して固着されて取り付けられていることを特徴とするシート布製品にある。
【００１２】
上記固着は、熱圧着溶着、その他の溶着、接着剤若しくは加熱接着シートを用いた接着による固着とすることができる。
【００１３】
本発明に係るマグネットホック具を備えた上記シート製品の生地は、ビニールなどの熱可塑性合成樹脂製生地、ゴム製生地、布製生地、これらの生地により製作される衣類の開閉部、カバー類の着脱部、又はこれら生地の開閉部に設けられる開閉テープ類に適応することができる。
【発明の効果】
【００１４】
本発明では、互いに磁着される一方及び他方のマグネット部材の磁着面に、磁着時において互いに嵌合される略環状の係合凹部と略環状の係合凸部を有しているところから、磁着時において横方向のズレに対して強く、磁着面に傾斜方向の力が加わった場合においても、略環状凹凸部の直径方向の両側部が係合して磁着力が継続する。また、磁力で引き合う着脱構造であり、金属性の従来のホック具に比較して、磁力による柔らかい着脱強度が得られる。
【００１５】
本発明では、内部に磁石（若しくは磁性体）が封入されるホック具本体及びフランジ状の取付縁部が共にゴム質であって、錆びることがなく、また、金属感がなく、全体として柔軟な使用感が得られる。また、着脱強度も柔軟であって、着脱時、生地に無理な力が加わることがない。
【００１６】
本発明では、ゴム質のホック具本体の外周部にゴム質の取付縁部が一体的に形成されており、この取付縁部を衣服などのシート製品の生地に熱圧着方式により取り付けることができ、縫い目がなく、衣服の内部に水が入らず、防水性が高い。これにより、スポーツウエアの上部前立てや高級ウエアの前立て等に使用して、防水機能性が特に優れている。また、生地への取り付け状態において、生地に穴を開ける必要がなく、生地を傷めることがない。
【００１７】
またホック具本体がゴム質で一体成形でき、しかも磁石（磁性体）を内部に挿入した状態でゴム質の蓋体部を構成する蓋部材で塞ぎ、超音波溶着により一体化する構造であるため、金属バネ性の従来のホック具のように、ホック本体に穴がなく、防水性に優れている。また、組み付け製作も容易となる。
【００１８】
更に、本発明のマグネットホック具及びこれを備えた衣類においては、生地に対する取付を熱圧着溶着によって行うことができるため、自動化、省力化に好適である。
【図面の簡単な説明】
【００１９】
【図１】本発明に係る一方のマグネットホック部材の平面、側面、背面及び断面図である。
【図２】同一方のマグネットホック部材のホック具本体に磁石（磁性体）及び蓋部材を取り付けるための一部半断面分解斜視図である。
【図３】同他方のマグネットホック部材の平面、側面、背面及び断面図である。
【図４】同他方のマグネットホック部材のホック具本体に磁石（磁性体）及び蓋部材を取り付けるための一部半断面分解斜視図である。
【図５】（ａ）は同一方及び他方のマグネットホック部材を衣類の互いに開閉される生地の対向する取付面に溶着により取り付けた状態を示す断面図、（ｂ）は同取付状態で生地同士を磁着させた状態を示す断面図である。
【図６】本発明に係るマグネットホック具を開閉部に用いた衣類の姿図である。
【発明を実施するための形態】
【００２０】
図１，2 は、本発明によるマグネットホック具における雄ホック部である一方のマグネットホック部材１を示し、図３，４は同雌ホック部である他方のマグネットホック部材２を示している。いずれもゴム質の成形体からなる一方のホック具本体３及びこれに係合する他方のホック本体４の中央内部に、互いに磁着する、それぞれ円盤状の磁石５（又は磁性体）、磁石６（又は磁性体）を埋設し、背面をゴム製の蓋部材７，８で密着状に覆うものである。
【００２１】
一方のホック具本体３は、所定厚みの円盤状フランジよりなる取付縁部９と、取付縁部９の中央にやや表面側に突出した状態に形成された厚みの薄い隔壁部１０と、隔壁部１０の周囲に立ち上げられた筒状若しくは環状の係合凸部１１と、隔壁部１０の背面側において取付縁部９の背面に開口する空間部１２と、空間部１２の開口周縁に立ち上げられた断面直角形状の係止体１３とを備えている。上記空間部１２内に前記磁石５（磁性体）を挿通し、その背面に前記蓋部材７を嵌合し、図５に示すように係止体１３を内側に向けて熱かしめすることによって隔壁部１０に対椄した状態で磁石５をホック具本体３内に封入するものである。隔壁部１０は、一方を閉鎖した筒型空間部１２の、閉鎖底板を構成する。
【００２２】
他方のホック具本体４は、前記とほぼ同様の円盤状フランジよりなる取付縁部１４と、取付縁部１４の中央にあってやや表面側に突出した状態に形成された厚みの薄い隔壁部１５と、隔壁部１５の周囲に立ち上げられ、かつ前記一方のホック具本体３の係合凸部１１の外周を嵌合する筒部１６と、隔壁部１５の周囲と筒部１６の内周底部との間に形成され、かつ前記係合凸部１１の先端を嵌合する環状の係合凹部１７とを備えている。さらに、隔壁部１５の背面側にあって取付縁部１４の背面に開口する空間部１８と、空間部１８の開口周縁に立ち上げられた断面直角形状の係止体１９とを備えている。上記空間部１８内に磁石６（磁性体）を挿通し、その背面に蓋部材８を嵌合し、係止体１９を内側に向けて図５に示すように熱かしめすることによって隔壁部１５に対椄した状態で磁石６（磁性体）をホック具本体４内に封入するものである。隔壁部１５は、一方を閉鎖した筒型空間部１８の、閉鎖底板を構成する。
【００２３】
以上の構成の雌雄のホック部となる一方及び他方のホック部材１，２は、それぞれ図５に示すように、前記係合凹部１７を係合凸部１１に対向させた状態で、前記各ホック具本体３，４の取付縁部９，１４が、衣類の互いに開閉される生地２０，２１の対向する取付面に溶着部２２の溶着により面方向に密着した状態で取り付けられている。
【００２４】
上記係合凸部１１と係合凹部１７とは、略環状であればよく、その環状の一部が切りかかれた、略Ｃ形若しくは略Ｕ形であっても良い。
【００２５】
ここで、溶着手段としては、加熱溶着、超音波溶着、高周波溶着等のいずれも採用できる。生地が直接溶着されない素材である場合には、溶着フィルム、その他の接着媒体を予め生地２０，２１に貼り付け、または塗布しておきこれを介して溶着可能である。
【００２６】
そして図５（ａ）に示すように生地２０，２１同士が離間している状態から図５（ｂ）に示すように生地２０，２１同士を重合した状態で、係合凸部１１が係合凹部１７内に入り込み、隔壁１０、１５を介して磁石５（又は磁性体）が磁石６（又は磁性体）に近接することにより磁着作用がなされるとともに、磁着面と直交する方向の引きはがし外力が発生しても、係合凸部１１と係合凹部１７同士の環状の凹凸係合、並びに係合凸部１１の外周が筒部１８内に嵌合していることにより、物理的に規制されるため引き抜かない限りは磁着力が作用したままであり、簡単に外れることがない。磁着面に傾斜方向の開き外力が加わった場合においても、環状凹凸部の直径方向の両側部が係合し、磁着力が継続する。  また、磁力で引き合う着脱構造であって、柔らかい着脱強度が得られ、着脱時、生地２０，２１に無理な力が加わることがない。
【００２７】
図６は、以上のマグネットホック具（一方のマグネットホック部材１及び他方のマグネットホック部材２）を上着ａの上部前立てボタンに適用した場合を示す。
上着ａは、スポーツウエアのアウターやレインウエアー等に適応することができる。上着ａの生地は、ビニール生地、ゴム製生地、又は、布製生地とすることができる。
【００２８】
１，２  一方及び他方のマグネットホック部材
３，４  ホック具本体
５  磁石（磁性体）
６  磁石（磁性体）
７，８  蓋部材
９，１４  取付縁部
１０，１５  隔壁部
１１  係合凸部
１２，１８  空間部
１３，１９  係止体
１６  筒部
１７  係合凹部
２０，２１  生地
２２  溶着部
【図１】
2020058604.tif 000003
【図２】
2020058604.tif 000004
【図３】
2020058604.tif 000005
【図４】
2020058604.tif 000006
【図５】
2020058604.tif 000007
【図６】
2020058604.tif 000008